(57)【要約】【課題】  低コストで効率よく残留物を除去可能で、且つ、多種多様の農業機械に適用可能な農業機械用残留物除去装置を提供する。【解決手段】  コンバイン２の作動時における動力を用いて圧縮空気を作製するエアーコンプレッサ１１と、当該エアーコンプレッサ１１で作製された圧縮空気を外部に吐出させる吐出装置１２と、エアーコンプレッサ１１と吐出装置１２とを連結し、可撓性及び伸縮性を有する所定長さの連結ホース１３と、を備え、吐出装置１２を、コンバイン２の作動とは別個に制御する構成とした。【選択図】  図１
0003139895.tif 000002
【実用新案登録請求の範囲】
【請求項１】
農業機械の作動時における動力を用いて圧縮空気を作製する空気圧縮手段と、
当該空気圧縮手段で作製された圧縮空気を外部に吐出させる吐出手段と、
前記空気圧縮手段と前記吐出手段とを連結する連結手段と、を備え、
前記吐出手段を、前記農業機械の作動とは別個に制御することを特徴とする農業機械用残留物除去装置。
【請求項２】
前記吐出手段から吐出させる圧縮空気の吐出量を調節する吐出量調節手段を備えたことを特徴とする請求項１に記載の農業機械用残留物除去装置。
【請求項３】
前記連結手段を、可撓性及び伸縮性の少なくとも一つを有する所定長さの配管で構成することを特徴とする請求項１又は２に記載の農業機械用残留物除去装置。
【請求項４】
前記連結手段及び前記吐出手段の少なくとも一部に、作業者が把持して、前記吐出手段の吐出口を前記農業機械の所定箇所に配置させる把持部を備えたことを特徴とする請求項１から３のいずれかに記載の農業機械用残留物除去装置。
【請求項５】
前記吐出手段及び前記連結手段の少なくとも一部に、前記吐出手段の吐出口を前記農業機械の所定箇所に配置させる着脱自在の固定部材を備えたことを特徴とする請求項１から３のいずれかに記載の農業機械用残留物除去装置。
【考案の詳細な説明】
【技術分野】
【０００１】
本考案は、例えば、耕耘機、脱穀機、コンバイン（刈り取り脱穀機）等の農業機械に付着した残留物を除去するための装置に関するものである。
【背景技術】
【０００２】
従来、この種の農業機械においては、農作業時に土壌、籾殻、埃等の残留物が付着しやすく、故障の原因になるため、これらの残留物を農業機械から除去するための装置が種々提案されている。
【０００３】
例えば、特許文献１では、走行車台の上側に設けた脱穀機の穀稈供給口の下側に、穀稈を脱穀機の脱穀室内へ案内する入口漏斗とコンプレッサとを設けたコンバインにおいて、コンプレッサからの圧縮空気を入口漏斗の上方から穀稈供給口へ向けて送風する送風装置を設けたコンバイン用残留物除去装置が提案されている。
【０００４】
このコンバイン用残留物除去装置は、コンバインの運転操作を始動すると、コンプレッサ及び送風装置がともに始動されて、コンプレッサからの圧縮空気が送風装置を介して、入口漏斗の上方から穀稈供給口へ向けて送風され、脱穀中に飛散する籾殻等の残留物を除去する構成となっている。
【特許文献１】特開２００４−１５４０４９号公報
【考案の開示】
【考案が解決しようとする課題】
【０００５】
しかしながら、上述した特許文献１に記載の残留物除去装置においては、残留物を除去するためのコンプレッサや送風装置がコンバインの運転と同時に作動するように構成されているため、コンバインの運転と、残留物除去装置の運転とを別個に制御することができず、作動コスト及び作業効率の点で更なる改善の余地があった。
【０００６】
また、上述した特許文献１に記載の残留物除去装置においては、コンプレッサからの圧縮空気を入口漏斗の上方から穀稈供給口へ向けて送風するように送風装置が固定されており、入口漏斗付近以外に付着した残留物を除去することができないという不具合があった。このため、入口漏斗を設けていないタイプのコンバインや、走行部に土壌が付着しやすい耕耘機等、その他の農業機械に適用することは困難であった。
【０００７】
そこで、本考案は、上記事情に鑑みてなされたものであり、低コストで効率よく残留物を除去可能で、且つ、多種多様の農業機械に適用可能な農業機械用残留物除去装置を提供することを課題としている。
【課題を解決するための手段】
【０００８】
このような課題を解決するために、本考案に係る農業機械用残留物除去装置は、農業機械の作動時における動力を用いて圧縮空気を作製する空気圧縮手段と、当該空気圧縮手段で作製された圧縮空気を外部に吐出させる吐出手段と、前記空気圧縮手段と前記吐出手段とを連結する連結手段と、を備え、前記吐出手段を、前記農業機械の作動とは別個に制御する構成としている。
【０００９】
本考案に係る農業機械用残留物除去装置によれば、農業機械の作動時における動力を用いて圧縮空気を作製する空気圧縮手段と、作製された圧縮空気を外部に吐出させる吐出手段と、を備え、この吐出手段を農業機械の作動とは別個に制御する構成としたことにより、農業機械の作動時の動力を用いて作製した圧縮空気を、農業機械の作動と同時のみならず、農業機械の作動を停止した後にも吐出させて残留物を除去することも可能となる。よって、作動コストを低減させることができるとともに、作業効率を向上させることができる。
【００１０】
ここで、本考案に係る農業機械用残留物除去装置においては、前記吐出手段から吐出させる圧縮空気の吐出量を調節する吐出量調節手段をさらに備えた構成としてもよい。
本構成によれば、吐出手段から吐出させる圧縮空気の吐出量を調節することにより、農業機械に付着した残留物を、その種類や付着量に応じて効率よく除去することが可能となる。
【００１１】
また、本考案に係る農業機械用残留物除去装置においては、前記連結手段を、可撓性及び伸縮性の少なくとも一つを有する所定長さの配管で構成してもよい。
本構成によれば、連結手段の長さを適宜変更することで、多種多様の農業機械の所定部位に付着した残留物を効率よく除去することが可能となる。
【００１２】
さらに、本考案に係る農業機械用残留物除去装置においては、前記連結手段及び前記吐出手段の少なくとも一部に、作業者が把持して、前記吐出手段の吐出口を前記農業機械の所定箇所に配置させる把持部を備えた構成としてもよい。
本構成によれば、作業者が吐出手段又は連結手段を把持した状態で、農業機械の所定箇所に合わせて圧縮空気を吐出させることができるため、残留物除去の作業効率をより向上させることが可能となるとともに、より多種多様の農業機械に適用することが可能となる。
【００１３】
さらに、本考案に係る農業機械用残留物除去装置においては、前記吐出手段及び前記連結手段の少なくとも一部に、前記吐出手段の吐出口を前記農業機械の所定箇所に配置させる着脱自在の固定部材を備えた構成としてもよい。
本構成によれば、残留物の除去が必要な所定箇所に吐出手段の吐出口を固定させた状態で配置すれば、作業者が吐出手段や連結手段を把持しなくても、圧縮空気を吐出させることができるため、残留物の除去作業をより効率よく行うことが可能となる。
また、固定部材を着脱自在に構成したことにより、残留物の除去が必要な所定箇所に適宜固定し直すことができるため、多種多様の農業機械に適用することが可能となる。
【考案の効果】
【００１４】
本考案に係る農業機械用残留物除去装置によれば、低コストで効率よく残留物を除去することができ、且つ、多種多様の農業機械に適用することができる。
【考案を実施するための最良の形態】
【００１５】
以下、本考案の実施形態について図面を参照しながら詳細に説明する。
【００１６】
図１は、本考案に係る農業機械用残留物除去装置を、コンバインに取り付けた一例を示し、（ａ）は全体斜視図、（ｂ）は吐出装置を示す側面図である。
【００１７】
この残留物除去装置１は、図１に示すように、コンバイン（農業機械）２の走行車両２１上に載置されたエアーコンプレッサ（空気圧縮手段）１１と、圧縮空気を外部に吐出させる吐出装置（吐出手段）１２と、一端がエアーコンプレッサ１１の排出口１１ａに接続され、他端が吐出装置１２の取入口１２ａに接続された連結ホース（連結手段）１３と、を備えた構成となっている。
【００１８】
なお、本実施形態において残留物除去装置１を設置したコンバイン２は、クローラ式の走行部２１Ａ及び作業者が着席した状態で操作する操作部２１Ｂを有する走行車両２１と、当該走行車両２１の前方に具備し、稲等の農作物を刈り取る刈り取り機２２と、走行車両２１の上方に具備し、刈り取った農作物の籾を取り出す脱穀機２３と、走行車両２１の上方に変位自在に設けられ、籾殻を搬送する籾殻搬送路２４と、を備えた構成となっている。
【００１９】
エアーコンプレッサ１１は、コンバイン２の作動時における動力を用いて圧縮空気を作製するとともに、作製された圧縮空気を内部に蓄積できるように構成されている。
【００２０】
吐出装置１２は、合成樹脂素材からなり、作業者が片手で把持可能な把持部１２Ａと、連結ホース１３から送られる圧縮空気を吐出させる筒状の吐出口１２Ｂと、作業者が把持部１２Ａを把持した状態で、吐出口１２Ｂからの圧縮空気の吐出量を指の引き具合で調節可能な吐出量調節装置（吐出量調節手段）１２Ｃと、を備えた構成となっている。
また、吐出装置１２は、コンバイン２の作動とは別個に制御されるように構成されている。
【００２１】
連結ホース１３は、可撓性及び伸縮性を有する所定長さのゴム製配管からなる。ここで、連結ホース１３の長さは、コンバイン２において土壌、籾殻、埃等の残留物が付着しやすい部位（例えば、走行部２１Ａ、刈り取り機２２の刈り刃、脱穀機２３のブロア）に圧縮空気を吐出可能で、作業者が作業しやすく、且つ、コンバイン２の一部に効率よく収納可能な長さにすることが好ましい。
また、連結ホース１３の直径は、残留物を効率よく除去可能な程度の圧力で圧縮空気を吐出可能な寸法にすることが好ましい。
【００２２】
この本実施形態の農業機械用残留物除去装置１は、まず、コンバイン２の作動に伴って、エアーコンプレッサ１１が始動して、圧縮空気を作製し、エアーコンプレッサ１１内部に圧縮空気を蓄積しておく。
【００２３】
そして、コンバイン２による農作業により、コンバイン２に付着した残留物を除去する場合には、作業者が把持部１２Ａを把持して、連結ホース１３を伸ばし、所定箇所に吐出装置１２の吐出口１２Ｂを向けて設置した状態で、吐出量調節装置１２Ｃを調節することで、エアーコンプレッサ１１内部に蓄積された所定量の圧縮空気を所定箇所に吐出させる。ここで、圧縮空気が吐出されると、その吐出圧力によってコンバイン２に付着した残留物は除去される。
【００２４】
なお、吐出装置１２の吐出口１２Ｂからの圧縮空気の吐出作業は、エアーコンプレッサ１１内部に圧縮空気が所定量蓄積されていれば可能であるため、コンバイン２の作動とともに行うこともできるし、コンバイン２の作動を停止させた後に行うこともできる。
【００２５】
すなわち、本実施形態における農業機械用残留物除去装置１によれば、コンバイン２の作動時における動力を用いて圧縮空気を作製するエアーコンプレッサ１１と、作製された圧縮空気を外部に吐出させる吐出装置１２と、を備え、この吐出装置１２をコンバイン２の作動とは別個に制御する構成としたことにより、コンバイン２の作動と同時のみならず、コンバイン２の作動を停止させた後にも圧縮空気の吐出を行うことが可能となる。よって、コンバイン２に付着した残留物の除去作業を、低コストで且つ効率よく行うことができる。
【００２６】
また、本実施形態に係る農業機械用残留物除去装置１によれば、エアーコンプレッサ１１と吐出装置１２とを連結させる連結ホース１３を、可撓性及び伸縮性を有する所定長さで構成したことにより、この連結ホース１３の長さを変更することで、寸法や構造の異なる多種多様のコンバイン２において様々な部位の残留物除去に適用することができる。
【００２７】
さらに、本実施形態に係る農業機械用残留物除去装置１によれ、圧縮空気の吐出量を調節する吐出量調節装置１２Ｃを備えたことにより、コンバイン２に付着した残留物を、その種類や付着量に応じて効率よく除去することができる。
【００２８】
さらに、本実施形態に係る農業機械用残留物除去装置１によれば、作業者が把持する把持部１２Ａを吐出装置１２の一部に備えたことにより、作業者がコンバイン２の所定箇所に合わせて圧縮空気を吐出させることができるため、作業効率をより向上させることができる。
【００２９】
なお、本実施形態においては、本考案に係る農業機械用残留物除去装置１をコンバイン２に適用した場合について説明したが、適用する農業機械はこれに限らず、耕耘機や脱穀機等の農業機械に適用しても構わない。
【００３０】
また、本実施形態においては、吐出装置１２の一部に把持部１２Ａを備え、作業者が直接把持して、所定箇所に合わせて圧縮空気を吐出させる構成としたが、この構成に限らず、適宜変更可能である。
【００３１】
例えば、把持部１２Ａを、連結ホース１３の一部に備えた構成としてもよい。また、把持部１２Ａ自体を備えず、コンバイン２の所定箇所に吐出装置１２や連結ホース１３を着脱自在に固定可能な固定フック（固定部材）を備え、作業者が残留物の付着状況に応じて、吐出装置１２や連結ホース１３をコンバイン２の所定箇所に固定できるように構成してもよい。
【００３２】
さらに、本実施形態においては、吐出装置１２に吐出量調節装置１２Ｃを備えた構成としたが、これに限らず、吐出量調節装置１２Ｃを、コンバイン２の操作部２１Ｂに設置しても構わない。
【００３３】
またさらに、本実施形態において、エアーコンプレッサ１１がコンバイン２の走行車両２１上に載置された構成としたが、この構成に限らず、エアーコンプレッサ１１をコンバイン２の走行車両２１内部に配置させる構成としてもよい。
【００３４】
その場合に、例えば、図２（ａ）に示すように、走行車両２１内部に巻付け収納等により連結ホース１３を収納可能な収納部を設けるとともに、走行車両２１の所定箇所に連結ホース１３の引出口２１ａを設け、コンバイン２に付着した残留物の除去作業時に、必要な長さだけ該引出口２１ａから連結ホース１３を引出して除去作業を行うことができるように構成することができる。かかる構成とすることにより、作業時に余分な連結ホース１３を収納しておくことが可能となり、残留物の除去作業効率をより向上させることができるととともに、コンバイン２による通常の農作業時において、連結ホース１３が走行車両２１内にきれいに収納されているため、該連結ホース１３が邪魔になることなく農作業効率をより向上させる効果も奏する。
【００３５】
また、図２（ｂ）に示すように、走行車両２１の所定箇所に排出口１１ａを適宜配置し、コンバイン２に付着した残留物の除去作業時に、連結ホース１３を該排出口１１ａに接続することで除去作業を行うことができるように構成することもできる。かかる構成とすることにより、コンバイン２による通常の農作業時において、連結ホース１３が邪魔になることなく農作業効率をより向上させることができるとともに、該排出口１１ａを複数配置することで、残留物の除去作業時において、作業箇所に一番近い排出口１１ａを選んで連結ホース１３を接続することで、当初から連結ホース１３の長さを短く設定することが可能となり、余分な連結ホース１３を不要にし、残留物の除去作業効率をより向上させることができる。
【図面の簡単な説明】
【００３６】
【図１】本考案に係る農業機械用残留物除去装置をコンバインに取り付けた実施例を示し、（ａ）は全体斜視図、（ｂ）は吐出装置を示す側面図である。
【図２】本考案に係る農業機械用残留物除去装置をコンバインに取り付けた他の実施例を示す全体斜視図である。
【符号の説明】
【００３７】
１    農業機械用残留物除去装置
２    コンバイン（農業機械）
１１    エアーコンプレッサ（空気圧縮手段）
１１ａ  排出口
１２    吐出装置（吐出手段）
１２Ａ  把持部（把持手段）
１２Ｂ  吐出口
１２Ｃ  吐出量調節装置（吐出量調節手段）
１２ａ  取入口
１３    連結ホース（連結手段）
２１    走行車両
２１Ａ  走行部
２１Ｂ  操作部
２１ａ  引出口
２２    刈り取り機
２３    脱穀機
２４    籾殻搬送路
【図１】
0003139895.tif 000003
【図２】
0003139895.tif 000004